(57)【特許請求の範囲】
【請求項１】
矩形枠状に組まれた芯材の両面に面材が設けられてなる一対の壁パネルが、それぞれの側端部の芯材同士が突き合わされた状態で接合された壁体と、該壁体の一対の壁パネルの接合部分に取り付けられた梁受け金物と、該梁受け金物を介して前記壁体にその壁面に対して略直交した状態で取り付けられた梁とを備えた梁受け構造において、
前記壁体は、前記一対の壁パネルそれぞれにおける前記側端部の芯材の相対向する位置に下端面を有する側面視略Ｌ字状の切り欠き部が設けられていることにより前記接合部分に前記梁側の壁面から外部に臨み前記下端面からなる底部を有する金物受けスリットが形成されてなり、
前記梁受け金物は、前記壁体の梁側の壁面に当接しかつ前記接合部分を横切る状態で配置されて前記梁の端部を支持する金物本体と、
前記金物本体の両側に設けられて前記一対の壁パネルそれぞれの側端部の芯材に固定された一対の固定片と、
前記金物本体の前記壁体側の面に前記金物受けスリットに向けて延びて形成されて該金物受けスリットに挿入された挿入片とからなる
ことを特徴とする梁受け構造。
【発明の詳細な説明】
【０００１】
【発明の属する技術分野】
本発明は、パネル工法にて構築され、壁パネルに対して梁を略直交して取り付ける建物に適用される梁受け構造に関する。
【０００２】
【従来の技術】
近年、住宅においてもその工業化が進み、例えば床、壁、屋根等の構造体を予め工場でパネル化しておき、施工現場ではこれらパネルを組み立てることにより建物を形成するといった、いわゆるパネル工法が一部に採用され、実施されている。
【０００３】
このようなパネル工法によって得られる構造として、例えば壁面に対して梁を略直交して架け渡すための壁と梁との受け部については、図３および図４に示すような構造が知られている。この構造では、矩形枠状に組まれた芯材４１ａとその両面に貼着された面材４１ｂとからなる一対の壁パネル４１が、それぞれの側端部の芯材４１ａ同士が突き合わされた状態で接合されて壁体４０が形成されている。
【０００４】
また壁体４０の壁面４０ａに、一対の壁パネル４１の接合部分４２を横切るようにして補強合板５０が取り付けられている。補強合板５０は長い直方体形状に形成されており、その長さ方向が壁体４０の上端に対して略平行となるように壁面４０ａの上部に配置され、多数の釘および接着剤によって取り付けられている。そして、このような補強合板５０に梁受け金物６０が取り付けられ、梁受け金物６０に梁３０の端部が支持されている。
【０００５】
ここで、梁受け金物６０は、補強合板５０の前面に当接した矩形状の当接片６１と、当接片６１の両側縁から補強合板５０と反対側に延出した側片６２と、当接片６１の下縁から補強合板５０と反対側に略直角に延びた載置片６３と、当接片６１の上端から補強合板５０に向けて延びた取付片６４とからなっており、この取付片６４が補強合板５０の上面に載置された状態で釘打ち等により補強合板５０に固定されている。
【０００６】
また梁３０は、その端部が例えば側面視略逆Ｌ字状に切り欠かれて上部側が下部側よりも突出しており、この上部側が梁受け金物６０の載置片６３に載置された状態で支持されて、壁体４０の上端面と梁３０の上面とが略面一な状態で壁面４０ａに対して略直交して架け渡されている。
【０００７】
【発明が解決しようとする課題】
上記したように従来の梁受け構造では、梁受け金物のみで梁を受けるため、梁受け金物を取り付ける補強合板が高強度に取り付けられるように長く形成され、接着剤を用いながら多数の釘によって壁面に取り付けられている。しかしながら、通常の壁パネルにおいて芯材の幅がそれ程厚いものではないため、補強合板の取り付けに使用されている多数の釘のうち芯材に打ちつけられている釘は僅かである。よって、壁パネルからなる壁体の壁に補強合板が面接合で取り付けられているのが実情であり、結果として梁受け構造は耐久的な強度が不安定であるという不具合が生じている。
【０００８】
また実質的に、補強合板が面接合で壁面に取り付けられている状態であることから、接着材の種類によって取り付け強度がばらつき、また芯材に打ちつけられた釘の本数でも取り付け強度がばらつく等、常に強度が一定である梁受け構造が得られないという不具合もある。さらに、梁受け金物の取り付けのために必ず補強合板と、補強合板を取り付けるための釘，接着剤とが必要であることから、部品数を多く要すという難点もある。
【０００９】
【課題を解決するための手段】
そこで上記課題を解決するための本発明に係る梁受け構造は、矩形枠状に組まれた芯材の両面に面材が設けられてなる一対の壁パネルが、それぞれの側端部の芯材同士が突き合わされた状態で接合された壁体と、壁体の一対の壁パネルの接合部分に取り付けられた梁受け金物と、この梁受け金物を介して壁体にその壁面に対して略直交した状態で取り付けられた梁とを備えたものにおいて、上記壁体には、一対の壁パネルそれぞれにおける上記側端部の芯材の相対向する位置に下端面を有する側面視略Ｌ字状の切り欠き部が設けられていることにより上記接合部分に梁側の壁面から外部に臨み上記下端面からなる底部を有する金物受けスリットが形成されてなり、上記梁受け金物は、壁体の梁側の壁面に当接しかつ接合部分を横切る状態で配置されて梁の端部を支持する金物本体と、金物本体の両側に設けられて一対の壁パネルそれぞれの側端部の芯材に固定された一対の固定片と、上記金物本体の壁体側の面に金物受けスリットに向けて延びて形成されて金物受けスリットに挿入された挿入片とからなる構成となっている。
【００１０】
本発明では、一対の壁パネルそれぞれにおける側端部の芯材の相対向する位置に切り欠き部が設けられていることにより一対の壁パネルの接合部分に金物受けスリットが形成されているため、金物受けスリットに挿入された梁受け金物の挿入片は金物受けスリットにおける一対の壁パネル双方の側端部の芯材からなる底部に載置されて支持されている。また金物本体の両側に設けられた一対の固定片が、一対の壁パネルそれぞれの側端部の芯材に固定されていることから、梁受け金物は挿入片および一対の固定片の３つによって壁パネルの側端部の芯材に支持された状態になっている。したがって、梁受け金物が壁体に常に一定の強度で強固に取り付けられているため、耐久的な強度が安定した梁受け構造が実現される。また従来の補助合板やこれを取り付けるために必要であった接着剤や釘を用いずに梁受け金物が強固に壁体に取り付けられるため、部品数の削減が図れる。
【００１１】
【発明の実施の形態】
次に、本発明に係る梁受け構造の実施形態を図面に基づいて説明する。
図１は本発明の梁受け構造の一実施形態を示す組み立て分解斜視図であり、図２は本発明の梁受け構造の一実施形態を示す斜視図である。
【００１２】
図１および図２に示すようにこの実施形態の梁受け構造は、一対の壁パネル１１，１１がそれぞれの側端部同士を突き合わせた状態で接合されてなる壁体１０と、壁体１０の一対の壁パネル１１，１１の接合部分１２に取り付けられた梁受け金物２０と、梁受け金物２０を介して壁体１０にその壁面１０ａに対して略直交した状態で取り付けられた梁３０とを備えて構成されている。
【００１３】
壁体１０を構成する一対の壁パネル１１，１１はそれぞれ、矩形枠状に組まれた芯材１１ａの両面に合板等の面材１１ｂが設けられてなるもので、側端部の芯材１１ａ同士が突き合わされた状態で接合されている。側端部の芯材１１ａは、梁受け金物２０の後述する固定片が釘打ちにより固定可能な幅に形成されている。また壁体１０は、一対の壁パネル１１，１１の接合部分１２に、梁３０側の壁面１０ａから外部に臨む金物受けスリット１３が形成されたものとなっている。このとき金物受けスリット１３は、一対の壁パネル１１，１１の接合部分１２におけるそれぞれの側端部の芯材１１ａの相対向する位置に切り欠き部１３ａが設けられていることにより形成されている。
【００１４】
つまり、一対の壁パネル１１，１１の接合した側端部の側端面でかつ壁体１０を構成したときに梁３０が取り付けられる位置にはそれぞれ、互いに当接した状態で接合している下方の面よりも壁パネル１１の幅方向に所定の厚み分の芯材１１ａを切り欠いた状態で切り欠き部１３ａが形成されている。このため、切り欠き部１３ａは、芯材１１ａからなる側面と、芯材１１ａからなりかつ切り欠いた所定の厚みの幅を有する下端面とから側面視略Ｌ字状に形成されている。よって、一対の壁パネル１１，１１を接合した状態では、その接合部分１２に、２つの切り欠き部１３ａ，１３ａによってこれらの下端面からなる底部１３ａ1 を有しかつ梁３０側の壁面１０ａから外部に臨む金物受けスリット１３が形成されているのである。
【００１５】
なお、本実施形態において金物受けスリット１３は、梁受け金物２０の後述する挿入片の厚みよりも僅かに大きい幅でかつ挿入片の高さ寸法と略等しい高さ寸法に形成されている。また壁体１０の上端から設けられた状態になっている。
【００１６】
梁受け金物２０は、金物本体２１と一対の固定片２２，２２と挿入片２３とから構成されている。金物本体２１は梁３０の端部を支持するもので、壁体１０の梁３０側の壁面１０ａに当接しかつ接合部分１２を横切る状態で配置された略矩形状の当接片２１ａと、当接片２１ａの下端から壁体１０と反対側に略直角に延びた載置片２１ｂと、当接片２１ａの両側縁から壁面１０ａと反対側に延びて形成された側辺２１ｃとから構成されている。本実施形態では当接片２１ａは、梁３０の後述する端部の上部側の高さと略等しい高さでかつ梁の幅よりも僅かに大きい幅に形成されている。また、当接片２１の裏面は壁面１０ａに接着剤によって接着されている。
【００１７】
一対の固定片２２，２２は、金物本体２１の当接片２１ａの両側縁にそれぞれ設けられたもので、ここでは金物本体２１の当接片２１ａから壁体１０の壁面１０ａに沿って延びた状態で当接片２１ａに一体的に形成されている。そして、それぞれの固定片２２，２２は、一対の壁パネル１１，１１それぞれの側端部の芯材１１ａに釘打ちおよび接着剤等によって固定されている。
【００１８】
挿入片２３は、金物本体２１の当接片２１ａの裏面でかつ当接片２１ａの幅方向の略中心位置から金物受けスリット１３に向けて延びて形成されたもので、金物受けスリット１３に挿入された状態で設けられている。またこの際、挿入片２３は金物受けスリット１３の芯材１１ａからなる底部１３ａ1 によって載置されてこれに支持されている。本実施形態において挿入片２３は、金物受けスリット１３の幅よりも若干小さい厚みでかつ金物受けスリット１３と略等しい高さの略矩形状をなし、また金物本体２１の当接片２１ａに一体的に形成されている。
【００１９】
梁３０は、本実施形態においてその端部が例えば側面視略逆Ｌ字状に切り欠かれて上部側が下部側よりも突出した状態に形成されており、この上部側が梁受け金物２０の載置片２１ｂに載置された状態で支持されている。そして、このことによって梁３０は、その上面が壁体１０の上端面に対して略面一な状態で壁面１０ａに略直交して架け渡されている。
【００２０】
このように本実施形態の梁受け構造では、金物受けスリット１３に挿入された梁受け金物２０の挿入片２３が、金物受けスリット１３における一対の壁パネル１１，１１の双方の側端部の芯材１１ａからなる底部１３ａ1 に載置された状態で支持されている。また金物本体２１の当接片２１ａの両側に設けられた一対の固定片２２，２２が、一対の壁パネル１１，１１それぞれの側端部の芯材１１ａに固定されている。
【００２１】
したがって、梁受け金物２０が、挿入片２３および一対の固定片２２，２２の３つにより一対の壁パネル１１，１１の側端部の芯材１１ａに支持され、これにより梁受け金物２０が壁体１０に常に一定の強度で強固に取り付けられ、この梁受け金物２０に梁３０が支持されているので、耐久的な強度が安定した梁受け構造を実現することができる。
【００２２】
またパネル工法では、壁パネル１１が予め工場で形成されることから、金物受けスリット１３も工場にて加工されるため、金物受けスリット１３を精密に形成することが可能である。また壁パネル１１を、その芯材１１ａとして、梁受け金物２０の一対の固定片２２，２２が釘打ちにより固定可能なように従来よりも大きい幅のものを用いて形成することも可能である。よって、いずれの施工現場にても、梁受け金物２０の挿入片２３が金物受けスリット１３の底部１３ａ1 の芯材１１ａに確実に載置されて支持され、かつその芯材１１ａに一対の固定片２２，２２が固定された梁受け構造を実現することができる。
【００２３】
また、従来の補助合板やこれを取り付けるために必要であった接着剤や釘を用いずに梁受け金物２０が強固に壁体１０に取り付けられているため、その分の部品数の削減を図ることができ、簡単な構造になる。またこの構造の施工に際しては、補助合板の取り付け作業工程も不要になるため、施工の簡略化を図ることができる。
【００２４】
さらに本実施形態の梁受け構造では、梁受け金物２０が、挿入片２３および一対の固定片２２，２２の３つにより一対の壁パネル１１，１１の側端部の芯材１１ａに支持されているため、確実に期待した取り付け強度を得ることができる。すなわち、設計時に取り付け強度を規定できる効果が得られる。
【００２５】
なお、本実施形態では、梁受け金物の挿入片が金物受けスリットの底部の芯材に載置されて支持されている例を述べたが、例えば接着剤により、あるいは挿入片に予め孔が穿設され、この孔を通して釘が金物受けスリットの側面の芯材に打ちつけられていれば、より強固に芯材に支持された梁受け金物となる。
【００２６】
また本実施形態では、梁の端部の上部側のみを支持する梁受け金物としたが、梁の端部全体を支持する梁受け金物であってもよく、また端部の上部側が壁体の上端面に載置された梁の端部の下部側を支持する梁受け金物であってもよいのはもちろんである。
【００２７】
【発明の効果】
以上説明したように本発明に係る梁受け構造では、一対の壁パネルの接合部分に形成された金物受けスリットに梁受け金物の挿入片が挿入されて金物受けスリットにおける一対の壁パネルの側端部の芯材からなる底部に挿入片が支持され、また金物本体の両側の一対の固定片が一対の壁パネルそれぞれの側端部の芯材に支持された構成となっているので、梁受け金物の壁体への取り付け強度が常に一定でかつ高いものとなる。よって、このような梁受け金物に梁が支持された本発明の梁受け構造によれば、耐久的な強度の安定化を図ることができる。また従来の補助合板やこれを取り付けるために必要であった接着剤や釘を用いずに梁受け金物が強固に壁体に取り付けられるため、部品数の削減を図ることができるとともに、施工に際して、補助合板の取り付け作業工程を不要とすることができて施工の簡略化も図ることができる。
【図面の簡単な説明】
【図１】本発明の梁受け構造の一実施形態を示す組み立て分解斜視図である。
【図２】本発明の梁受け構造の一実施形態を示す斜視図である。
【図３】従来の梁受け構造の一例を示す組み立て分解斜視図である。
【図４】従来の梁受け構造の側面図である。
【符号の説明】
１０…壁体、１０ａ…壁面、１１…壁パネル、１１ａ…芯材、１１ｂ…面材、１２…接合部分、１３…金物受けスリット、１３ａ…切り欠き部、２０…梁受け金物、２１…金物本体、２２…固定片、２３…挿入片、３０…梁
【図１】
0003964051.tif 000002
【図２】
0003964051.tif 000003
【図３】
0003964051.tif 000004
【図４】
0003964051.tif 000005